(57)【要約】【課題】汚水タンクに貯溜した汚水の波打ちを低減させ、気水分離器の気水分離性能が低下し難い湿式電気掃除機を提供すること。【解決手段】被洗浄物に噴射ノズル５１から洗浄液Ｗを噴射し被洗浄物の汚れを水分及び空気と共に吸引する湿式電気掃除機であって、汚れ及び水分を空気と共に吸引する吸引ノズル１１と、吸引ノズル１１から吸引された汚れ、水分及び空気の混合流Ａを導通する吸引ホース１２と、混合流Ａを汚れ及び水分と空気とに分離する気水分離器１３と、気水分離器１３により混合流Ａから分離された空気Ｃ’を吸引して排気する電動ファン１５と、気水分離器１３により混合流Ａから分離された汚れ及び水分の混合水である汚水Ｂを貯溜する汚水タンク１４とを備えており、汚水タンク１４は、貯溜された汚水Ｂの波打ちを低減させる波打ち低減構造４０を備えている。【選択図】図２
2007236571.tif 000002
【特許請求の範囲】
【請求項１】
被洗浄物に噴射ノズルから洗浄液を噴射し被洗浄物の汚れを水分及び空気と共に吸引する湿式電気掃除機であって、
汚れ及び水分を空気と共に吸引する吸引ノズルと、該吸引ノズルから吸引された汚れ、水分及び空気の混合流を導通する吸引ホースと、該混合流を汚れ及び水分と空気とに分離する気水分離器と、該気水分離器により該混合流から分離された空気を吸引して排気する電動ファンと、該気水分離器により該混合流から分離された汚れ及び水分の混合水である汚水を貯溜する汚水タンクとを備えており、
前記汚水タンクは、貯溜された汚水の波打ちを低減させる波打ち低減構造を備えている湿式電気掃除機。
【請求項２】
前記気水分離器は、前記汚水タンクの上方に設けられた有底筒状の回転体を主体として構成されており、該回転体の周側部は、所定幅の多数の羽根が該回転体の周方向にそれぞれ間隔をあけて立設されて形成されている請求項１記載の湿式電気掃除機。
【請求項３】
前記汚水タンクの内部には、周壁に導通孔を備えた消波筒状体がその長手方向を該汚水タンクの深さ方向に沿わせて設けられており、該消波筒状体から前記波打ち低減構造が構成されている請求項１又は２に記載の湿式電気掃除機。
【請求項４】
前記汚水タンクの内部には、厚み方向に導通孔を備えた消波板がその面方向を該汚水タンクの深さ方向と直交する方向に沿わせて設けられており、該消波板から前記波打ち低減構造が構成されている請求項１又は２に記載の湿式電気掃除機。
【請求項５】
前記消波板は、前記汚水タンクに貯溜された汚水に対して浮くように構成されている請求項４記載の湿式電気掃除機。
【請求項６】
前記消波板は、その厚み方向が垂直方向に沿って移動するように移動方向が規制されている請求項５記載の湿式電気掃除機。
【請求項７】
前記消波板は、所定高さよりも下方へ移動できないように規制されている請求項５又は６に記載の湿式電気掃除機。
【請求項８】
前記汚水タンクの内部には、螺旋状の消波羽根がその軸を該汚水タンクの深さ方向に沿わせて設けられており、該消波羽根から前記波打ち低減構造が構成されている請求項１又は２に記載の湿式電気掃除機。
【請求項９】
前記汚水タンクの底面又は内壁には、該底面又は該内壁から該汚水タンクの内方に向けて立設する消波突起が設けられており、該消波突起から前記波打ち低減構造が構成されている請求項１又は２に記載の湿式電気掃除機。
【発明の詳細な説明】
【技術分野】
【０００１】
本発明は、被洗浄物に噴射ノズルから洗浄液を噴射し被洗浄物の汚れを水分及び空気と共に吸引する湿式電気掃除機に関する。
【背景技術】
【０００２】
下記特許文献１には、被洗浄物に噴射ノズルから洗浄液を噴射し被洗浄物の汚れを水分及び空気と共に吸引する湿式電気掃除機で、吸引された汚れ、水分及び空気の混合流を汚れ及び水分と空気とに分離する気水分離器と、気水分離器により該混合流から分離された汚れ及び水分（汚水）を貯溜する汚水タンクとを備えたものが記載されている。この気水分離器は、汚水タンクの上方に設けられた有底筒状のセパレータ（回転体）を主体として構成されており、該セパレータの周側部は、多数の羽根がセパレータの周方向に間隔をあけて立設されて形成されている。そして、吸引状態下にセパレータを高速回転させることにより、羽根間を通過する水分を羽根で叩き落として気水分離を行っている。
【０００３】
【特許文献１】特開２００４−１８０９４１号公報
【発明の開示】
【発明が解決しようとする課題】
【０００４】
しかし、特許文献１記載の湿式電気掃除機においては、セパレータの回転や汚水タンク内への混合流の流入の勢い等に起因して、汚水タンク内の空気が回転し易く、そのため汚水タンク内の汚水の水面が乱れ、波を打ち易い。そして、汚水タンク内の汚水が波を打つと、汚水がセパレータに接触して、その結果、気水分離器の気水分離性能が低下し易かった。
【０００５】
従って、本発明の目的は、汚水タンクに貯溜した汚水の波打ちを低減させ、気水分離器の気水分離性能が低下し難い湿式電気掃除機を提供することにある。
【課題を解決するための手段】
【０００６】
本発明は、被洗浄物に噴射ノズルから洗浄液を噴射し被洗浄物の汚れを水分及び空気と共に吸引する湿式電気掃除機であって、汚れ及び水分を空気と共に吸引する吸引ノズルと、該吸引ノズルから吸引された汚れ、水分及び空気の混合流を導通する吸引ホースと、該混合流を汚れ及び水分と空気とに分離する気水分離器と、該気水分離器により該混合流から分離された空気を吸引して排気する電動ファンと、該気水分離器により該混合流から分離された汚れ及び水分の混合水である汚水を貯溜する汚水タンクとを備えており、前記汚水タンクは、貯溜された汚水の波打ちを低減させる波打ち低減構造を備えている湿式電気掃除機を提供することにより、上記目的を達成したものである。
【発明の効果】
【０００７】
本発明の湿式電気掃除機によれば、汚水タンクに貯溜した汚水の波打ちを低減させることができ、そのため、気水分離器の気水分離性能が低下し難い。
【発明を実施するための最良の形態】
【０００８】
以下、本発明の湿式電気掃除機を、その好ましい一実施形態である第１実施形態について、図面を参照しながら説明する。
本実施形態の湿式電気掃除機１は、図１及び図２に示すように、被洗浄物に噴射ノズル５１から洗浄液Ｗを噴射し被洗浄物の汚れを水分及び空気と共に吸引する湿式電気掃除機である。
【０００９】
本実施形態の湿式電気掃除機１は、汚れ及び水分を空気と共に吸引する吸引ノズル１１と、吸引ノズル１１から吸引された汚れ、水分及び空気の混合流Ａを導通する吸引ホース１２と、混合流Ａを汚れ及び水分と空気とに分離する気水分離器１３と、気水分離器１３により混合流Ａから分離された空気Ｃ’を吸引して排気する電動ファン１５と、気水分離器１３により混合流Ａから分離された汚れ及び水分の混合水である汚水Ｂを貯溜する汚水タンク１４とを備えている。
【００１０】
吸引ノズル１１は、汚れ及び水分を空気と共に吸引するもので、本実施形態においては、図１に示すように、平面視で末広がり形状を有する中空体からなり、その先端部は開口し、被洗浄物との当接面となっている。吸引ノズル１１の内部には、図２に示すように、洗浄液Ｗを噴射する噴射ノズル５１が設けられている。
【００１１】
本実施形態の湿式電気掃除機１には、図１及び図２に示すように、噴射ノズル５１に洗浄液Ｗを供給する給液タンク１７（詳細は後述）と、給液タンク１７内の洗浄液Ｗを送出する送液ポンプ５３と、送液ポンプ５３と給液タンク１７とを連通する連結チューブ５４と、送液ポンプ５３の駆動により連結チューブ５４を介して洗浄液Ｗを噴射ノズル５１に送給する送液チューブ５２とが設けられている。
【００１２】
吸引ホース１２は、図１及び図２に示すように、吸引ノズル１１と汚水タンク１４とを連通し、吸引ノズル１１から吸引される汚れ、水分及び空気の混合流Ａを汚水タンク１４に導入するものである。
【００１３】
吸引ホース１２及び送液チューブ５２は、図１に示すように、ハウジング２０の前面から露出し、両者が並列して吸引ノズル１１に連結されている。
噴射ノズル５１は、送液チューブ５２に連結されており、送液チューブ５２から送給される洗浄液Ｗが噴射ノズル５１の先端部から被洗浄物に向けて噴射されるようになっている。噴射ノズル５１としては、洗浄液を霧状に穏かに噴射するタイプや洗浄液を直線状に勢いよく噴射するタイプ等、被洗浄物に応じて選択することができる。本実施形態では、霧状に噴射するものを用いている。
【００１４】
吸引ホース１２の一端部１２Ａは、図２に示すように、吸引ノズル１１の内部と連通し、他端部１２Ｂは、汚水タンク１４の汚水導入口１４Ａ（詳細は後述）に連通している。
吸引ホース１２としては、従来より湿式電気掃除機用として用いられている吸引ホースを特に制限なく使用することができ、例えば、外内面が蛇腹状のホース、外面が蛇腹状で内面が平滑なホース、外内面が平滑なホース等が挙げられる。本実施形態においては、ホースの曲がり易さを確保しつつ、ホース内面への汚水の滞留や付着を防止する観点から、外側が蛇腹状で内側が平滑なホースを用いている。
【００１５】
汚水タンク１４は、図２に示すように、気水分離器１３により混合流Ａから分離された汚れ及び水分の混合水である汚水Ｂを貯溜するタンクである。汚水タンク１４は、図３に示すように、ハウジング２０の前部側の汚水タンク収納部２４Ｂに配設されており、図７に示すように、その底部から上部開口部に向けて断面が拡大する略円筒形状を有している。汚水タンク１４は、その内部に貯溜された汚水Ｂを視認できるように透明の素材から形成されている。
【００１６】
汚水タンク１４の外周面の上方には、図７に示すように、吸引ホース１２の他端部１２Ｂと連通する汚水導入口１４Ａが設けられている。汚水タンク１４の上部開口部の周縁部には、周方向に１８０°あけて２個の位置決め張出し部１４Ｂが設けられている。位置決め張出し部１４Ｂは、図３に示すように、ハウジング２０の汚水タンク収納部２４Ｂに設けられた凹部２４Ｃに嵌合させることにより、汚水タンク１４をハウジング２０の汚水タンク収納部２４Ｂに対して位置決めできるようになっている。
【００１７】
気水分離器１３は、図２に示すように、吸引ホース１２及び汚水タンク１４を介して導入された混合流Ａを汚れ及び水分と空気とに分離する機能を有するものであり、その詳細については後述する。
【００１８】
電動ファン１５（図２参照。図２以外では図示省略）は、ハウジング２０の中央上部に設けられたハウジング取っ手２５の下方におけるハウジング２０の内部に設けられている。電動ファン１５は、図２に示すように、空気を吸引部１５Ａから吸引し、排気部１５Ｂから排出することにより、吸引ノズル１１から吸引ホース１２及び汚水タンク１４を経て気水分離器１３に向かう経路の吸引力を発生させるものである。吸引部１５Ａから吸引された、混合流Ａから汚れ及び水分がほぼ分離した空気Ｃ’は、図２に示すように、排気部１５Ｂから外気中に排出されるようになっている。
電動ファン１５としては、湿式電気掃除機のコンパクト化の面や一般家庭内で使用する面で、出力１．５ｋＷ以下のものが好適であり、被洗浄物等の種類等の条件に応じて、１．２ｋＷ以下のものや１．０ｋＷ以下のものを用いることができる。
【００１９】
気水分離器１３の排出部１３Ｃと電動ファン１５の吸引部１５Ａとの間には、図２に示すように、混合流Ａ中に残存する微量の汚れ及び水分を分離するフィルタ１６が設けられている。フィルタ１６としては、混合流Ａから微量の汚れ及び水分を分離できるものを特に制限なく用いることができる。
【００２０】
ハウジング２０の給液タンク収納部２１の底部には、図１１に示すように、給液タンク１７のタンク脚部７７Ａ〜７７Ｃ及び液排出口７８（詳細は後述）にそれぞれ対応して、脚部嵌合部２１Ａ〜２１Ｃ及び排出口受部２２が設けられている。また、給液タンク収納部２１には、給液タンク１７のタンク背面凹欠部７３（詳細は後述）に対応して、ハウジング２０の背面に向けて膨出するハウジング凸出部２３が設けられている。
【００２１】
電動ファン１５、汚水タンク１４、連結チューブ５４等は、ハウジング２０に収納されている。ハウジング２０の上部には、図１及び図１０に示すように、スイッチ２６が設けられている。ハウジング２０の下部には、湿式電気掃除機１の移動用の前輪及び後輪（図示せず）が設けられている。
【００２２】
送液チューブ５２、連結チューブ５４及び送液ポンプ５３としては、各々に要求される機能を果たすものであれば、それらの材質、形状、大きさ等に特に制限はない。
洗浄液としては、被洗浄物に応じて、洗剤を含む適切なものが用いられる。洗剤を含有しない水を用いてもよい。
【００２３】
次に、気水分離器１３の構成について詳述する。
気水分離器１３は、図１〜図４に示すように、汚水タンク１４が汚水タンク収納部２４Ｂに収納された状態下に、ハウジング２０の前部側の気水分離器収納部２４Ａに装着され、汚水タンク１４の上方に配置されるようになっている。
【００２４】
気水分離器１３は、汚水タンク１４の上方に設けられた有底筒状の回転体１３Ｂを主体として構成されている。回転体１３Ｂは、図５に示すように、円形の上方開口部３１及び円形の筒底部３３を有する下向きに窄んだ形状の円筒台形状を有している。従って、筒底部３３の面積は、上方開口部３１の面積よりも小さくなっている。上方開口部３１の周縁部には、上方から視て外方に延出する上縁延出部３６が形成されている。
回転体１３Ｂの中心軸３４に対応する位置には、図５に示すように、回転シャフト１３Ｅ（後述）と連結するためのシャフト連結孔３５が形成されている。
【００２５】
回転体１３Ｂの周側部は、図５に示すように、所定幅の多数の羽根３２が回転体１３Ｂの周方向Ｒ３にそれぞれ間隔をあけて立設されて形成されている。本願出願人の先の特許出願である特願２００５−１１３４２４号の記載と同様に、羽根３２は、正面視で、上縁延出部３６から筒底部３３に向けて傾斜する平行四辺形状を有している。羽根３２は、図５（ｂ）に示すように、羽根３２の幅方向の基部と中心軸３４とを結ぶ基準線に対し、羽根３２の幅方向を回転体１３Ｂの回転方向Ｒ３に所定角度傾けて立設されていることが好ましい。
【００２６】
気水分離器１３の上部１３Ａの底面側には、図６に示すように、通気窓１３Ｆが設けられており、気水分離器１３の上部１３Ａの背面側には、排出部１３Ｃが設けられている。
気水分離器１３の上部１３Ａの内部には、回転体１３Ｂを回転する回転機構としてプロペラ（図示せず）が設けられている。該プロペラは、電動ファン１５により気水分離器１３に発生する気流により回転する（つまり風力駆動する）ようになっている。該プロペラの回転軸には、図６に示すように、回転シャフト１３Ｅが連結されている。回転体１３Ｂのシャフト連結孔３５には、回転シャフト１３Ｅが連結される。そのため、気流により該プロペラが回転すると、その回転に従って回転シャフト１３Ｅを介して回転体１３Ｂが回転する。このように、回転体１３Ｂは、回転シャフト１３Ｅを中心軸として回転可能になっている。
【００２７】
従って、気水分離器１３においては、電動ファン１５による吸引力により回転体１３Ｂから排出部１３Ｃに向かう吸引力が働いている状態下で、前記回転機構により回転体１３Ｂを回転させることにより、回転体１３Ｂにおいて汚水タンク１４内の混合流Ａから汚れ及び水分の大部分を分離し、混合流Ａから汚れ及び水分がほぼ分離された空気Ｃ’（図２参照）を排出部１３Ｃから排出できるようになっている。
気水分離器１３により混合流Ａから分離された汚れ及び水分（汚水Ｂ）は、落下し、汚水タンク１４内に貯溜するようになっている。
【００２８】
次に、汚水タンク１４について詳述する。
汚水タンク１４は、図２及び図８に示すように、貯溜された汚水Ｂの波打ちを低減させる波打ち低減構造４０を備えている。本実施形態においては、汚水タンク１４の内部に、消波筒状体４１がその長手方向を汚水タンク１４の深さ方向に沿わせて設けられており、消波筒状体４１から波打ち低減構造４０が構成されている。尚、消波筒状体４１の長手方向と汚水タンク１４の深さ方向とは、必ずしも平行でなくてもよい。
【００２９】
消波筒状体４１の全体形状は、筒状体であれば特に制限はなく、例えば円筒形、楕円筒形、四角筒形、六角筒形が挙げられる。また、筒状体における上面及び底面の有無についても特に制限はない。本実施形態における消波筒状体４１は、図８に示すように、上面及び底面を有していない円筒状体からなり、汚水タンク１４とは別体に形成されている。消波筒状体４１は、気水分離器１３の回転体１３Ｂを横方向から覆うように、その頂部において気水分離器１３に接合されている。
【００３０】
消波筒状体４１の周壁４１Ａの外周の面積は、適宜設定されるが、好ましくは２００〜４７５ｃｍ2、更に好ましくは２７０〜３９０ｃｍ2である。また、消波筒状体４１の周壁４１Ａの外周の面積は、汚水タンク１４の内壁１４Ｄの面積の２５〜６０％であることが好ましく、３５〜５０％であることが更に好ましい。
【００３１】
消波筒状体４１の周壁４１Ａには、図８に示すように、導通孔４１Ｂが設けられている。導通孔４１Ｂの形状に特に制限はない。図９には、周壁４１Ａにおける導通孔４１Ｂが設けられた部分の展開図を示してある。導通孔４１Ｂの形状としては、例えば円形〔図９（ａ）上側参照〕、楕円形〔図９（ａ）下側参照〕、矩形、有幅スリット形〔図９（ｂ）参照〕、メッシュ状〔図９（ｃ）参照〕、ネット状又はこれらの形状の組合せが挙げられる。
導通孔４１Ｂの１個あたりの面積、個数及び総面積等は、波打ち低減効果や電動ファン１５の吸引量を低減させないこと等を考慮して適宜設定される。
【００３２】
次に、給液タンク１７について詳述する。
給液タンク１７は、図１０及び図１１に示すように、湿式電気掃除機１のハウジング２０の後部側の給液タンク収納部２１に着脱自在になっている。給液タンク１７は、図１２に示すように、洗浄液Ｗを貯溜するタンク本体７１を有している。タンク本体７１は、その内部の洗浄液Ｗを視認し得るようになっており、平面視で、その左右方向両側部がそれぞれ正面から背面に向けて膨出し、一対のタンク背面膨出部７２とそれらの間のタンク背面凹欠部７３を形成している。
【００３３】
タンク本体７１の上部には、図２に示すように、その内部に洗浄液Ｗを注入する液注入口７４Ａが設けられている。液注入口７４Ａは、タンクキャップ７４により閉蓋されるようになっている。タンク本体７１の正面には、図１２に示すように、タンク取っ手７５が設けられている。タンク本体７１の下部のタンク底部７６には、その内部から洗浄液Ｗを排出する液排出口７８が設けられている。液排出口７８には、図２に示すように、開閉弁７８Ａが設けられている。
【００３４】
タンク本体７１の下部のタンク底部７６には、図１２に示すように、液排出口７８よりも下方に突出した３個のタンク脚部７７Ａ〜７７Ｃが設けられている。そして、給液タンク１７は、そのタンク底部７６及びタンク脚部７７Ａ〜７７Ｃを給液タンク収納部２１に着脱することで、ハウジング２０に対して着脱自在になっている。
【００３５】
次に、本実施形態の湿式電気掃除機１の一使用方法として、住宅のカーペットを洗浄する場合について以下に説明する。
吸引ノズル１１をカーペット（図示せず）の汚れた部分に当接させて、スイッチ２６を操作し、湿式電気掃除機１の電源を入れ、送液ポンプ５３及び電動ファン１５を駆動させる。すると、送液ポンプ５３の駆動により、図２に示すように、給液タンク１７内の洗浄液Ｗが、連結チューブ５４と送液チューブ５２を経て噴射ノズル５１から霧状に噴射される。その結果、噴射された洗浄液Ｗによりカーペットが洗浄され、その汚れが除去される。
【００３６】
また、電動ファン１５の駆動により、図２に示すように、吸引ノズル１１から吸引ホース１２及び汚水タンク１４を経て、除去された汚れを含む洗浄液Ｗが、カーペットに付着した髪の毛、綿ゴミ、埃等の乾燥ゴミ及び空気と共に、気水分離器１３に向けて吸引される。以下、これらの汚れ、洗浄液及び乾燥ゴミを合わせて「汚れ及び水分」又は「汚水Ｂ」といい、汚れ、水分及び空気を合わせて「混合流Ａ」という。
【００３７】
混合流Ａは、吸引ノズル１１から吸引ホース１２を経て汚水タンク１４内に導入されると、急激な気圧の低下により混合流Ａ中の水分が凝集し、それが水滴となって汚水タンク１４内に落下する。また、汚水タンク１４内の混合流Ａは、気水分離器１３における回転体１３Ｂの羽根３２の間を通過しようとするが、前記回転機構により回転している回転体１３Ｂの羽根３２によって、汚れ及び水分（汚水Ｂ）が叩かれて、更に気水分離される。
【００３８】
然る後、図２に示すように、混合流Ａから汚水Ｂがほぼ分離された空気Ｃ’は、気水分離器１３の排出部１３Ｃから排出される。排出部１３Ｃから排出された前記空気Ｃ’には、汚れ及び水分はほとんど残存していないが、残存する汚れ及び水分は、フィルタ１６を通過する際にほぼ完全に除去される。フィルタ１６を通過した空気流Ｃは、電動ファン１５の吸引部１５Ａから吸引され、排気部１５Ｂから排出される。
【００３９】
このように、本実施形態の湿式電気掃除機１によれば、被洗浄物に噴射ノズル５１から洗浄液Ｗを噴射し、被洗浄物の汚れを水分及び空気と共に吸引することにより、被洗浄物から汚れを効果的に除去することができる。しかし、汚水タンク１４が仮に波打ち低減構造４０を備えていないとすると、汚水タンク１４内の空気が、気水分離器１３の回転体１３Ｂの回転や汚水タンク１４への汚水Ｂの流入の勢い等により回転し、汚水Ｂの水面が乱れ、波を打ち易い。そのため、汚水Ｂが気水分離器１３の回転体１３Ｂに接触して、気水分離器１３の気水分離性能が低下し易かった。
【００４０】
而して、本実施形態の湿式電気掃除機１においては、汚水タンク１４が、貯溜された汚水Ｂの波打ちを低減させる波打ち低減構造４０を備えているため、汚水タンク１４内の空気が回転しても、汚水Ｂの水面が乱れ難く、波打ちが低減される。
【００４１】
波打ち低減構造４０が、汚水タンク１４の上方から下方に向けて設けられた消波筒状体４１から構成されているため、湿式電気掃除機１において気水分離器１３や汚水タンク１４等を分解してメンテナンスをする際に、波打ち低減構造４０の取り扱いが便利である。
【００４２】
尚、第１実施形態においては、消波筒状体４１は、図１３に示すように、汚水タンク１４の底面１４Ｃから上方に向けて立設させた形態で設けることができる。このような形態においては、消波筒状体４１と汚水タンク１４とをそれぞれ別体で形成することができ、その場合、消波筒状体４１の底部と汚水タンク１４の底面１４Ｃとを接合してもよく、接合しなくてもよい。また、消波筒状体４１は、汚水タンク１４と一体的に形成することもできる。
【００４３】
次に、別の実施形態における波打ち低減構造４０及びその変形例について詳述する。第１実施形態における波打ち低減構造４０に関する説明は、以下の説明において適宜適用される。
第２実施形態においては、図１４に示すように、汚水タンク１４の内部に、消波板４２がその面方向を汚水タンク１４の深さ方向と直交する方向に沿わせて設けられており、消波板４２から波打ち低減構造４０が構成されている。尚、消波板４２の面方向と汚水タンク１４の深さ方向と直交する方向とは、必ずしも平行でなくてもよい。
【００４４】
消波板４２の形状は、特に制限はなく、例えば円形、楕円形、四角形、六角形が挙げられる。消波板４２の形状は、汚水タンク１４の内壁１４Ｄの横断面形状と同一又は類似した形状であることが好ましい。本実施形態における消波板４２は、汚水タンク１４の内壁１４Ｄの横断面形状に合わせて、図１４（ａ）に示すように円形で、汚水タンク１４とは別体に形成されている。
【００４５】
消波板４２は、その厚み方向に導通孔４２Ａを備えている。導通孔４２Ａの形状に特に制限はなく、例えば有幅スリット形〔図１５（ａ）参照〕、台形、矩形〔図１５（ａ）参照〕、メッシュ状〔図１５（ｂ）参照〕、ネット状、円形〔図１５（ａ）〜図１５（ｃ）参照〕、楕円形〔図１５（ｃ）参照〕又はこれらの形状の組合せが挙げられる。導通孔４２Ａの位置も特に制限はない。本実施形態における導通孔４２Ａは、図１４（ａ）に示すように、消波板４２の中心に円形のものが設けられ、その外側に、有幅円弧状のものが径方向に間隔をおいて複数個設けられている。
【００４６】
消波板４２は、汚水タンク１４に貯溜された汚水Ｂに対して浮くように構成されている。消波板４２の中央部に設けられた導通孔４２Ａには、図１４（ｂ）に示すように、規制ポール４２Ｂが挿通されている。規制ポール４２Ｂは、垂直方向に立設しており、その下端が汚水タンク１４の底面に接合されている。規制ポール４２Ｂの上端には、消波板４２の導通孔４２Ａの抜け留め手段が備えられている。図１４（ｂ）に示す抜け留め手段では、規制ポール４２Ｂの上端の径が太くなっている。そのため、消波板４２は、その厚み方向が垂直方向に沿って移動するように移動方向が規制されている。また、消波板４２は、面方向に移動したり、水平面に対して傾斜することも規制されている。
【００４７】
第３実施形態においては、図１６に示すように、消波板４２は、所定高さよりも下方へ移動できないように規制されている。具体的には、消波板４２の下方に規制脚部４２Ｃが設けられ、規制脚部４２Ｃにより消波板４２が所定高さよりも下方に移動できないように規制されている。このような構成においては、規制脚部４２Ｃを含む消波板４２全体の重量を重く設定して、汚水タンク１４内の汚水Ｂの量に拘わらず、消波板４２が規制脚部４２Ｃにより起立した状態となるようにすることができる。
【００４８】
また、消波板４２の重量等を適宜設定することにより、汚水タンク１４内の汚水Ｂが少ない場合には、消波板４２が規制脚部４２Ｃにより起立した状態となり、汚水タンク１４内の汚水Ｂが多くなった場合には規制脚部４２Ｃを含む消波板４２全体が汚水Ｂに浮き、消波板４２が汚水Ｂの水面近傍に位置するようにすることができる。
【００４９】
消波板４２においては、図１４に示す構成及び図１６に示す構成を組み合わせることもできる。即ち、規制ポール４２Ｂ及び規制脚部４２Ｃの両方を備えた構成とすることもできる。反対に、規制ポール４２Ｂ及び規制脚部４２Ｃの両方とも備えていない構成とすることもできる。
規制脚部４２Ｃは、汚水タンク１４の内壁１４Ｄ又は底面１４Ｃに接合して設けることもできる。
【００５０】
第４実施形態においては、図１７に示すように、汚水タンク１４の内部には、螺旋状の消波羽根４３がその軸４３Ａを汚水タンク１４の深さ方向に沿わせて設けられており、消波羽根４３から波打ち低減構造４０が構成されている。尚、消波羽根４３の軸４３Ａの方向と汚水タンク１４の深さ方向とは、必ずしも平行でなくてもよい。尚、図１７には螺旋状の消波羽根４３の断面が示してあり、螺旋の断面ではない斜面部の図示は省略してある。
【００５１】
消波羽根４３の螺旋方向は、汚水タンク１４内の空気の回転方向と同じ向きとなっている。
消波羽根４３は、汚水タンク１４の底面１４Ｃに接合されている。
【００５２】
第５実施形態においては、図１８に示すように、汚水タンク１４の底面１４Ｃに底面１４Ｃから汚水タンク１４の内方に向けて立設する消波突起４４が設けられており、消波突起４４から波打ち低減構造４０が構成されている。消波突起４４は、汚水タンク１４の底面１４Ｃから上方に立設しており、その長さは、適宜設定されるが、好ましくは４〜１２ｃｍ、更に好ましくは６〜１０ｃｍである。汚水タンク１４の底面１４Ｃの高さを０、設計上最大量の汚水Ｂが汚水タンク１４に貯溜した場合における汚水Ｂの水面の高さをＨとしたとき、消波突起４４の長さは、０．４Ｈ〜１．２Ｈの範囲であることが好ましく、０．６Ｈ〜１．０Ｈの範囲であることが更に好ましい。
【００５３】
消波突起４４の横断面形状に制限はなく、例えば円形、楕円形、矩形、六角形が挙げられる。本実施形態においては、円形である。
消波突起４４は、汚水タンク１４の底面１４Ｃに直接接合されていなくてもよく、汚水タンク１４とは別部材の基板に消波突起４４を立設させ、該基板を汚水タンク１４の底面１４Ｃに配置してもよい。
【００５４】
第６実施形態においては、図１９に示すように、汚水タンク１４の内壁１４Ｄに、内壁１４Ｄから汚水タンク１４の内方に向けて立設する消波突起４５が設けられており、消波突起４５から波打ち低減構造４０が構成されている。消波突起４５は、汚水タンク１４の内壁１４Ｄから横方向に立設している。その長さは、適宜設定されるが、好ましくは１０〜５０ｍｍ、更に好ましくは２０〜４０ｍｍである。
【００５５】
消波突起４５の個数は、適宜設定されるが、本実施形態においては、図１９（ａ）に示すように、周方向に９０度をあけて一段あたり４個である。
消波突起４５の縦断面形状（その長さ方向と直交する方向に切断した断面形状）に制限はなく、例えば円形、楕円形、矩形、六角形が挙げられる。本実施形態においては、矩形である。
消波突起４５の垂直方向の段数は、適宜設定されるが、好ましくは１〜５段、更に好ましくは２〜４段である。
【００５６】
消波突起４５は、平板状であることが好ましく、その場合には、図１９に示すように、その厚み方向が垂直方向に沿って設けられていてもよく、また図２０に示すように、その厚み方向が垂直方向に対して傾斜して設けられていてもよい。図２０に示すような、厚み方向が傾斜している消波突起４５においては、その傾斜方向は、汚水タンク１４内の空気の回転を阻害する方向であることが好ましい。また、その傾斜角度は、１５〜７５度であることが好ましく、３０〜６０度であることが更に好ましい。
【００５７】
尚、第６実施形態においては、消波突起４５は、汚水タンク１４の内壁１４Ｄの全周に亘って設けることができる。
第５実施形態及び第６実施形態においては、消波突起４４，４５は、汚水タンク１４と別体に形成されていてもよく、一体に形成されていてもよい。
【００５８】
本発明の湿式電気掃除機は、前述した実施形態に制限されることなく、本発明の趣旨を逸脱しない限り、以下に示すように適宜変更が可能である。
汚水タンク１４は、ハウジング２０と分離不可能な一体的な構成とすることができる。回転体１３Ｂの回転機構の駆動源として、モータ等の電気的な直接駆動源を用いてもよい。
本発明の湿式電気掃除機は、カーペット、ソファや車のシートのような細かい凹凸のある被洗浄物の洗浄に特に適しているが、畳、フローリング、窓ガラス等の住居の各部分の洗浄にも用いることができる。
【図面の簡単な説明】
【００５９】
【図１】図１は、本発明の湿式電気掃除機の第１実施形態を正面上方から視た斜視図である。
【図２】図２は、図１に示す湿式電気掃除機の全容を、汚れ、水分等の流通経路と共に示す模式図である。
【図３】図３は、図１に示す湿式電気掃除機から気水分離器及び給液タンクを取り外した状態を斜め上方から視た斜視図である。
【図４】図４は、図１に示す湿式電気掃除機における気水分離器を示す図で、（ａ）は斜視図、（ｂ）は背面図である。
【図５】図５は、回転体を示す図で、（ａ）は羽根を簡略化して示す斜視図、（ｂ）は平面図である。
【図６】図６は、図４に示す気水分離器から回転体を外した状態を示す図で、（ａ）は斜視図、（ｂ）は底面図である。
【図７】図７は、図１に示す湿式電気掃除機における汚水タンクを示す斜視図である。
【図８】図８は、図１に示す湿式電気掃除機における汚水タンクの波打ち低減構造を示す模式的縦断面図である。
【図９】図９は、消波筒状体の周壁における導通孔が設けられた部分の展開図で、（ａ）〜（ｃ）はそれぞれ導通孔の形状のバリエーションを示す図である。
【図１０】図１０は、図１に示す湿式電気掃除機を背面上方から視た斜視図である。
【図１１】図１１は、図１に示す湿式電気掃除機から給液タンクを取り外した状態を示す図で、（ａ）は正面上方から見た斜視図（図１０対応図）、（ｂ）は部分平面図である。
【図１２】図１２は、図１に示す湿式電気掃除機における給液タンクを示す図で、（ａ）は斜視図、（ｂ）は背面図である。
【図１３】図１３は、第１実施形態における汚水タンクの波打ち低減構造の変形例を示す模式的縦断面図（図８対応図）である。
【図１４】図１４は、第２実施形態における汚水タンクの波打ち低減構造を示す模式図で、（ａ）は消波板の平面図、（ｂ）は縦断面図（図８対応図）である。
【図１５】図１５は、消波板を示す平面図〔図１４（ａ）対応図〕で、（ａ）〜（ｃ）はそれぞれ導通孔の形状のバリエーションを示す図である。
【図１６】図１６は、第３実施形態における汚水タンクの波打ち低減構造を示す模式的縦断面図〔図１４（ｂ）対応図〕である。
【図１７】図１７は、第４実施形態における汚水タンクの波打ち低減構造を示す模式的縦断面図（図８対応図）である。
【図１８】図１８は、第５実施形態における汚水タンクの波打ち低減構造を示す模式的斜視図である。
【図１９】図１９は、第６実施形態における汚水タンクの波打ち低減構造を示す模式図で、（ａ）は（ｂ）に示すＡ−Ａ断面図、（ｂ）は縦断面図（図８対応図）である。
【図２０】図２０は、第６実施形態における汚水タンクの波打ち低減構造の変形例を示す模式的縦断面図〔図１９（ｂ）対応図〕である。
【符号の説明】
【００６０】
１  湿式電気掃除機
１１  吸引ノズル
１２  吸引ホース
１３  気水分離器
１３Ｂ  回転体
１４  汚水タンク
１４Ａ  汚水導入口
１４Ｂ  位置決め張出し部
１４Ｃ  底面
１４Ｄ  内壁
１５  電動ファン
１６  フィルタ
１７  給液タンク
２０  ハウジング
３２  羽根
４０  波打ち低減構造
４１  消波筒状体
４１Ａ  周壁
４１Ｂ  導通孔
４２  消波板
４２Ａ  導通孔
４２Ｂ  規制ポール
４２Ｃ  規制脚部
４３  消波羽根
４３Ａ  回転軸
４４、４５  消波突起
５１  噴射ノズル
５２  送液チューブ
５３  送液ポンプ
５４  連結チューブ
Ａ  混合流
Ｂ  汚水
Ｃ  空気
Ｃ’  混合流Ａから汚水Ｂをほぼ分離した空気
Ｗ  洗浄液
【図１】
2007236571.tif 000003
【図２】
2007236571.tif 000004
【図３】
2007236571.tif 000005
【図４】
2007236571.tif 000006
【図５】
2007236571.tif 000007
【図６】
2007236571.tif 000008
【図７】
2007236571.tif 000009
【図８】
2007236571.tif 000010
【図９】
2007236571.tif 000011
【図１０】
2007236571.tif 000012
【図１１】
2007236571.tif 000013
【図１２】
2007236571.tif 000014
【図１３】
2007236571.tif 000015
【図１４】
2007236571.tif 000016
【図１５】
2007236571.tif 000017
【図１６】
2007236571.tif 000018
【図１７】
2007236571.tif 000019
【図１８】
2007236571.tif 000020
【図１９】
2007236571.tif 000021
【図２０】
2007236571.tif 000022